(57)【特許請求の範囲】
【請求項１】
エスカレーターまたは動く歩道用の清掃パッドであって、
ａ．エスカレーターまたは動く歩道のステップの溝とリブと噛みあうようになっている複数の突条部と溝の付いた接触面が設けられており、この接触面が吸収材と半硬質材とを備え、半硬質材の突条部と溝とが吸収材の突条部と溝とに一致するように半硬質材が吸収材と実質的に平行に配置されることを特徴とする清掃パッド。
【請求項２】
請求項１の清掃パッドであって、吸収材の穴の大きさが１インチあたり２０から１５０個の穴をもつような大きさであることを特徴とする清掃パッド。
【請求項３】
請求項２の清掃パッドであって、吸収材が１立方フィートあたり０．８から５．０ポンドの密度を有することを特徴とする清掃パッド。
【請求項４】
請求項３の清掃パッドであって、吸収材の空気の流量が１．０から１０．０標準立方フィート／分（ＳＣＦＭ）であることを特徴とする清掃パッド。
【請求項５】
請求項４の清掃パッドであって、吸収材が１５から１５０ＩＦＤの押込力たわみを有することを特徴とする清掃パッド。
【請求項６】
請求項５の清掃パッドであって、半硬質材がポリエチレンであることを特徴とする清掃パッド。
【請求項７】
請求項４の清掃パッドであって、さらに保護覆いを備えており、この保護覆いは接触面に着脱可能に取り付けることができ、突条部と溝を実質的に真っすぐに保つようになっていることを特徴とする清掃パッド。
【請求項８】
請求項１の清掃パッドであって、突条部の長さが０．５０から０．６５インチであることを特徴とする清掃パッド。
【請求項９】
請求項８の清掃パッドであって、突条部の幅が０．１６から０．２１インチであることを特徴とする清掃パッド。
【請求項１０】
請求項９の清掃パッドであって、溝の幅が０．１４から０．１９インチであることを特徴とする清掃パッド。
【請求項１１】
請求項１０の清掃パッドであって、パッドが型抜きにより製造されることを特徴とする清掃パッド。
【請求項１２】
請求項１の清掃パッドであって、突条部と溝の１０％から２５％が半硬質材からなることを特徴とする清掃パッド。
【請求項１３】
エスカレーターや動く歩道を清掃するための装置であって、
ａ．清掃具を備えており、この清掃具は
ｉ．ハンドルに取り付けられるようになっている頭部を有し、
ｂ．その頭部に着脱可能に取り付けられる清掃パッドが設けられており、この清掃パッドは
ｉ．吸収材と半硬質材で構成される複数の突条部と溝のついた接触面を有し、半硬質材の突条部と溝とが吸収材の突条部と溝に一致するように、半硬質材が吸収材と実質的に平行に配置されていることを特徴とする装置。
【請求項１４】
請求項１３の装置であって、突条部の長さが０．５０から０．６５インチであり、突条部の幅が０．１６から０．２１インチであることを特徴とする装置。
【請求項１５】
請求項１４の装置であって、清掃パッドが備える吸収材の１インチあたりの細孔数が２０個から１５０個であることを特徴とする装置。
【請求項１６】
請求項１５の装置であって、吸収材が１立方フィートあたり０．８から５．０ポンドの密度を有することを特徴とする装置。
【請求項１７】
コームを備えるエスカレーターや動く歩道を清掃する方法であって、
ａ．清掃パッドを清掃具に取り付ける手順を含み、この清掃パッドは
ｉ．複数の突条部と溝が互いに実質的に平行に配置された接触面を備え、この接触面には吸収材と半硬質材とを含んでおり、半硬質材の突条部と溝とが吸収材の突条部と溝とに一致するように半硬質材が吸収材と実質的に平行に配置されており、
ｂ．接触面に洗浄液を染み込ませる手順と、
ｃ．エスカレーターや動く歩道の運転中に接触面をエスカレーターまたは動く歩道に置いてコームに隣接させる手順と、
ｄ．清掃パッドの突条部と溝をステップに対応させて噛み合わせる手順とを含むことを特徴とする方法。
【請求項１８】
請求項１７の方法であって、清掃パッドの突条部と溝をステップに対応させて噛み合わせる手順ｄにおいて、清掃パッドの突条部と溝をステップの溝とリブにそれぞれ対応させて噛み合わせることを特徴とする方法。
【発明の詳細な説明】
【技術分野】
【０００１】
本開示は概して固形材料または固形物由来の塵、水垢、汚れ、夾雑物、または他の異物または不要物を分離・除去するための装置と方法、より具体的にはエスカレーターまたは動く歩道の清掃用の装置と方法に関する。
【背景技術】
【０００２】
エスカレーターと動く歩道は（例えばショッピングセンター、空港、輸送システム、貿易の中心地、公共の建物などで）階と階の間や動く歩道の範囲に沿って歩行者を運ぶ目的で世界中で利用されている。一般的に、エスカレーターと動く歩道は一連のステップを連続したチェーンでつなぐことで構成され、動く階段または動く歩道を形成している。
【０００３】
通常、ステップ上面には溝により隔てられた一連の平行なリブ溝を備えている。その経路とリブはエスカレーターの往来移動からの塵やごみを蓄積しがちである。エスカレーターまたは動く歩道を美しく衛生的に維持するためには、ステップを定期的に掃除する必要がある。溝はたいてい狭くて深く、溝の奥は通常角が直角になっているか尖っているため、ステップ表面を掃除するのは例えば平らな床などの他の表面に比べて難しい。
【０００４】
エスカレーターまたは動く歩道を掃除する従来の技術では、装置全体を分解してステップをひとつずつ手作業により掃除する必要があるため、かなりの時間を消費するとともに労働力をつぎ込む必要があった。また清掃作業の間は、エスカレーターまたは動く歩道を閉鎖する必要がある。ビルの中でも特に２４時間営業しているところは最短時間で掃除する必要があり、長時間閉鎖しないで済むのが望ましい。
【０００５】
１つの代替手段としては、従来の掃除機や他の吸引装置を利用して、浮いたほこりや溜まったごみをできる限り溝やリブから回収することである。米国特許第８，３３７，６２５号（参照によりその全体を本明細書に援用する）はとりわけエスカレーターのステップ用の掃除機を開示している。しかしながら、そのような機器が役に立たない場合がある。なぜならば、従来の掃除機ブラシでは十分な深さまで届かず、例えばチューイングガム、こぼれた飲み物のしみ、ステップの下にある機械の機構部由来の油やグリース等の溝に溜まったほこりや頑固な汚れなどは除去できない可能性があるためである。
【０００６】
したがって、エスカレーターまたは動く歩道のステップを効率的に掃除できる装置や方法が必要であり、望ましくはステップを損傷させることなくステップの溝とリブを隅々まで掃除する装置または方法、また同様に溜まったほこりを除去する装置または方法が必要である。
【先行技術文献】
【特許文献】
【０００７】
【特許文献１】米国特許第８，３３７，６２５号
【発明の概要】
【発明が解決しようとする課題】
【０００８】
本発明の目的は次の目標のうちの少なくとも１つを達成することである。本発明の目標のひとつはエスカレーターまたは動く歩道を清掃するための装置と方法を提供することである。本発明のさらなる目標はステップの溝とリブ、特に溝の底と側面に溜まったほこりを清掃して除去する装置と方法を提供することである。本発明の追加的な目標と利益は続く本発明の説明から明らかとなるはずである。
【０００９】
本発明の第一の態様によれば、エスカレーターまたは動く歩道用の清掃パッドが提供される。清掃パッドはエスカレーターまたは動く歩道のステップのリブや溝と噛みあうようになっている複数の突条部と溝のついた接触面を備える。
【００１０】
本発明の第二の態様によれば、エスカレーターまたは動く歩道を清掃する装置が提供される。この装置はハンドルに取り付けるようになっている頭部と、頭部に着脱可能に取り付けられた清掃パッドを備える。清掃パッドはエスカレーターまたは動く歩道のステップのリブや溝と噛みあう複数の突条部と溝のついた接触面を備える。
【００１１】
本発明の第三の態様によれば、エスカレーターまたは動く歩道を清掃する方法が提供される。その方法には清掃具に清掃パッドを取り付ける手順と、洗浄液を接触面に染み込ませる手順と、エスカレーターまたは動く歩道のステップに接触面を置く手順と、清掃パッドの突条部と溝をステップに対応させて噛み合わせる手順とを含む。
【００１２】
以上の本発明の概要は請求の範囲に記載した対象を単純化したものを示したが、これは請求の範囲に記載のいくつかの態様の基本的な理解のために提供したものである。この概要は請求の範囲に記載した内容の広範囲にわたる全体像ではない。これは請求の範囲に記載の肝要なまたは重要な要素を特定するものでも、詳細を描写するものでもない。この唯一の目的は請求の範囲に記載のいくつかの概念を単純化し、後ほど示すさらに詳細な説明に対する前置きとすることである。
【００１３】
さらに以上では、後述する本発明の詳細な説明が理解できるように、本発明の特徴と技術的な利点をかなりおおまかに説明した。以下では本発明の請求の範囲の主題を形成する本発明のさらなる特徴と利点を説明する。なお開示した着想および特定の実施例が、本発明と同じ目的を果たすために修正したり他の構造を設計したりする基礎として容易に利用可能であることは当業者であれば当然理解できるはずである。また、そのような同等の構造は添付の請求の範囲に記載した本開示の趣旨および範囲から逸脱しないことは当業者であれば当然理解できるはずである。本発明の特徴と考える新規な特徴は、その機構と操作方法の両方に関して、添付した図面と併せて考えれば、以下の説明からさらなる目的と利点が共により良く理解できるであろう。しかしながら、それぞれの図は図解と説明のためにのみ提供するものであり、本発明の限度の定義として示すものではないことは、明確に理解されたい。
【図面の簡単な説明】
【００１４】
添付した図面は本発明の様々な実施例を図解している。なおしかしながら、これらの実施例が網羅的であることを意図せず、発明の制限を意図するものでもないことは理解されたい。しかし、これらの実施例は実施可能な発明のいくつかの形態の例示である。
【図１】図１は本発明の清掃パッドの斜視図である。
【図２】図２は清掃具に清掃パッドを取り付けている図である。
【図３】図３は清掃パッドからカバーを取り外している図と清掃パッドの溝と突条部の拡大図である。
【図４Ａ】図４Ａは本発明の清掃具の底面図である。
【図４Ｂ】図４Ｂは清掃パッドを取り付けた清掃具の底面図である。
【図４Ｃ】図４Ｃは清掃パッドを取り付けた清掃具のエスカレーターまたは歩道で使用時の側面図である。
【図４Ｄ】図４Ｄは清掃作業中の、エスカレーターまたは歩道のステップの溝とリブと噛み合っている清掃パッドの突条部と溝の拡大図である。
【図５】図５は清掃道具と洗浄液入りの洗い桶の図である。
【図６】図６は洗浄液を清掃パッドに染み込ませている図である。
【図７】図７はエスカレーターまたは動く歩道で使用時の清掃パッドを取り付けた清掃具の図である。
【図８】図８はエスカレーターまたは歩道のステップを掃除している清掃パッドの図である。
【図９】図９はエスカレーターまたは歩道のステップを掃除している清掃パッドのもう１つの図である。
【図１０】図１０は清掃パッドの取り外しと廃棄の図である。
【図１１】図１１は本発明の型抜き工程により製造される清掃パッドの図である。
【発明を実施するための形態】
【００１５】
本発明の望ましい実施例を説明するにあたり図を参照するが、本発明の範囲を制限するいかなる目的も有さない。
【００１６】
図１から図１１は本発明で使用する清掃パッド１００を示している。清掃パッド１００は洗浄液を含んで保持するようになっている接触面１１０を備え、清掃パッドを使用することによりほこりや土を吸収して取り除き、集めて洗い流すことができる。接触面１１０は複数の突条部１１１と溝１１２を有し、これらはエスカレーターまたは動く歩道のステップ４０１の溝４０３やリブ４０２と噛み合うようになっている。清掃パッド１００の幅Ｗpadは概してステップ４０１の幅と一致している。図９に示すように、清掃パッド１００はエスカレーターまたは動く歩道４００の側面間にわずかな隙間を残してあるいは隙間無く密着できる程度に十分に柔らかくしなやかな材料から構成することができるが、清掃パッド１００の幅Ｗpadはエスカレーターまたは動く歩道４００の側面間の間隔よりも若干短く（例えば少なくとも約０．０６２５インチだけ短く）なっていることが望ましい。この形状により、清掃パッドをステップ４０１に嵌め込めないほど大きくしすぎることなく清掃パッド１００が確実にステップ４０１の踏面４０６の大部分、望ましくはステップのほとんどまたはすべての部分と実質的に接触できるサイズとするのに役立つであろう。清掃パッド１００は幅Ｗpadが約２４インチから３９インチ、高さＨpadが約０．５インチから３インチ、長さＬpadが約２インチから１２インチであるのが望ましく、さらに約２インチから６インチの長さＬpadであるとさらに望ましい。
【００１７】
清掃パッド１００はさらに吸収材１１３を備える。吸収材１１３は使用中に洗浄液を吸収・保持できる材料であればどんな材料からなっていてもよい。清掃中、吸収材１１３はステップ４０１の踏面４０６全体に行き渡るのに十分な量の洗浄液を吸収・保持できるものであるべきである。また同時に、吸収材１１３が早く大量に洗浄液を放出してしまわないものでないと、洗浄液が届いていない場所または液だまりを作り出してしまい、エスカレーターまたは動く歩道を痛めてしまうおそれがある。以下の特性を有する吸収材１１３とすれば、優れた洗浄液吸収・保持の性質をもつとともに、使用の際にムラなく継続的にステップ４０１に洗浄液を放出できるような清掃パッド１００となる。吸収材１１３の細孔の大きさが１インチあたりの細孔数（ＰＰＩ）が約２０個から１５０個であることが望ましく、約５０から１００ＰＰＩであることがより望ましい。吸収材１１３の空気の流量は１分間あたり約１．０から１０．０立方フィート（ＣＦＭ）であることが望ましく、約２．０から７．０ＣＦＭであることがより望ましい。吸収材１１３の密度または圧縮力たわみ（ＣＦＤ）は１立方フィートあたり約０．８０から５．０ポンド（ｌｂｍ／ｆｔ３）であることが望ましく、約０．８０から３．０  ｌｂｍ／ｆｔ３であることがより望ましい。吸収材１１３の押込力たわみ（ＩＦＤ）は約１５から１５０  ｌｂｆであることが望ましく、約５０から１５  ｌｂｆであることがより望ましい。吸収材１１３の押込荷重たわみ（ＩＬＤ）は約１０から１４０  ｌｂｆであることが望ましく、約３０から１４０  ｌｂｆであることがより望ましい。吸収材の最上部に２立方センチメートルの体積の水を置いて底部まで完全に浸透するのにかかる時間であるウェットアウト時間は約０．５から５分であることが望ましく、約２分未満であることがより望ましい。空気の流量、密度、ＩＦＤ、ＩＬＤの値はＡＳＴＭインターナショナル（ＡＳＴＭ  Ｉｎｔｅｒｎａｔｉｏｎａｌ）規格Ｄ３５７４（参照によりその全体を本明細書に援用する）に開示された通りに計測することができる。
【００１８】
適切な吸収材１１３には、例えば連続気泡ポリウレタンや、紙やパルプの成型品を組み合わせたもの、軟質発泡体、とりわけ二重セル設計または網状設計で製造された発泡体等の、親水性の材料を含む。この「親水性」という用語は水性洗浄液をかけると濡れる表面のことを指す。親水性と湿潤性は一般に、平らな表面上にある水の形状、具体的には水滴の縁と水滴の下面との間の角度である接触角によって決められる。洗浄液とその表面の間の接触角が約９０度未満であるときか、または洗浄液が自然と表面全体に広がる傾向にあるときのどちらかの場合、表面は洗浄液によって濡れる（すなわち親水性）と考えられ、これら両方の状態が通常同時に存在している。逆に、接触角が約９０度よりも大きく、洗浄液が自然と表面全体に広がらない場合、表面は水性洗浄液をかけても濡れない「疎水性」の表面であると考えられる。
【００１９】
清掃パッド１００はさらに半硬質材１１４を備えることができる。この半硬質材１１４は清掃パッド１００に求められる剛性を与える。この半硬質材１１４は十分に硬い材料から形成することにより、ステップ４０１の踏面４０６に設けられた溝４０３とリブ４０２に、吸収材１１３の突条部１１１と溝１１２とを対応させるのに役立つようにする。剛性の小さな吸収材１１３がコーム４０４内に入り込むと、吸収材１１３とコーム４０４の間に目詰まりやひっかかりが起きて潜在的な危険や損傷が生じる可能性があるが、半硬質材１１４とすればこれを防いで整列を補助することができる。一実施例として、半硬質材１１４の剛性は吸収材１１３よりも大きい。この半硬質材１１４は図１に示すように、吸収材１１３に対して実質的に平行に取り付けることができる。さらに、半硬質材１１４の突条部１１１と溝１１２が吸収材１１３のそれらと一致するように清掃パッド１００の幅Ｗpadに沿っていることが望ましい。このように配置することで、清掃パッド１００の構造の完全性を維持する助けをし、清掃パッドの突条部１１１の頂面１１５と側面１１６と、そしてステップ４０１の溝４０３の底４０７と側面４０８とが接触するように補助している。加えて、この配置では半硬質材１１４の突条部１１１と溝１１２が、ステップ４０１の踏面４０６の溝４０３とリブ４０２と噛み合わさって水切りワイパーとしての機能を果たす。これにより、余分な液体がステップ上に残らないようにし、エスカレーターまたは動く歩道４００を潜在的に痛めないようにする。半硬質材１１４はまた、吸収材１１３から放出された洗浄液３０１をステップ４０１の踏面４０６の全面に再分配するのに役立つ。この半硬質材１１４はまた、頑固な汚れやくず（例えばガムなど）をステップ４０１の踏面４０６から除去するための力をさらに大きくすることができる。半硬質材１１４の適切な例として、例えば熱可塑性プラスチック（例えばポリエチレン、ゴム等）やコルク等の疎水性材料を含むが、これらに限定しない。
【００２０】
図示したように、接触面の突条部１１１と溝１１２は吸収材１１３と半硬質材１１４で構成することができる。一実施例として、突条部１１１と溝１１２の大部分が吸収材１１３から構成されることで、清掃パッドがステップ４０１の踏面４０６を清掃するのに十分な量の洗浄液３０１を吸収して保持できるようにしている。上述したように、十分な量の突条部１１１と溝１１２は半硬質材１１４から構成され、ステップ上に余分な水滴が残らないようにし、吸収材１１３から放出された洗浄液３０１をステップ４０１の踏面４０６の全面に再分配するのに役立つ。一実施例として、突条部１１１と溝１１２は約１０％から２５％の半硬質材１１４と約７５％から９０％の吸収材１１３とから構成されるが、これは確実に十分量の洗浄液３０１が吸収・保持され、清掃中のステップへと運ばれると同時にとりわけステップ上に余分な液体が残らないようにするためである。他の実施例では、ステップ４０１の踏面４０６から頑固な汚れやごみ（例えばガム、食べ物、乾燥したソフトドリンク等）を除去するための力がより大きくなるように、突条部１１１と溝１１２をより高い割合（約５０％）の半硬質材１１４を用いて構成することが望ましい場合もある。
【００２１】
図４Ｂと図８に示したように、突条部１１１は溝１１２に対して実質的に平行に配置する。突条部１１１の頂面１１５と側面１１６と、ステップ４０１の溝４０３の底４０７と側面４０８とを実質的に全面で接触できるように、またステップ４０１に対して横方向と下方向に適度な圧力がかかるようにするために、突条部１１１の幅Ｗridgeは溝幅Ｗchannelよりもわずかに（少なくとも約０．０２インチ）狭く、長さＬridge溝の長さはＬchannelよりもわずかに（少なくとも約０．０５インチ）長くするのが望ましい。例えば、溝幅Ｗchannelが約０．２０インチで溝の長さＬchannelが約０．５０インチとすると、幅Ｗridgeは約０．１８インチで長さＬridgeは約０．５５インチとすべきである。一実施例として、突条部の幅Ｗridgeは約０．１６から０．２１インチとし、突条部の長さＬridgeは約０．５０から０．６５インチとする。
【００２２】
溝１１２の底１１７と側面１１８と、ステップ４０１の踏面４０６のリブ４０２の頂面４０９と側面４１０とを実質的に全面で接触できるようにするために、溝１１２の幅Ｗgrooveをリブ幅Ｗribよりもわずかに（少なくとも約０．０２インチ）広く、長さＬgrooveを溝の長さＬribよりもわずかに（少なくとも約０．０５インチ）長くするのが望ましい。例えば、もしリブ幅Ｗribが約０．１４インチでリブの長さＬribが約０．５０インチとすると、溝幅Ｗgrooveは約０．１６インチとし、突条部の長さＬgrooveは約０．５５インチとすべきである。一実施例として溝幅Ｗgrooveが約０．１４から０．１９インチで、溝の長さＬgrooveを約０．５０から０．６５インチとしている。
【００２３】
突条部１１１の頂面１１５と側面１１６も同様に、ステップ４０１の溝４０３の断面形状に合うようにすることができ、これにより突条部１１１がステップ４０１の溝４０３と結合するのに役立つ。例えば、溝４０３の底面４０７が直角な角または鋭い角となっている場合、突条部１１１の頂面１１５も同様に直角な角または鋭い角とすることが望ましい。同様に、もし溝４０３の側面４０８が先細りしている場合、望ましくは突条部１１１の側面１１６もこれに対応するように先細りしているべきである。
【００２４】
清掃パッド１００はさらに清掃具２００に対して清掃パッド１００を着脱可能で使い捨てできるように取り付けられるようになっている取り付け面１２０を設けてもよい。この清掃パッド１００は１つ以上の接続部で清掃具２００に取り付けることができる。図２から図５に示したように一実施例として、接続部１２１は取り付け面１２０に設けた１つ以上の突起（例えばＴ字形の突起）とすることができ、これらは清掃具２００に付随する一連の溝２２１（例えばＴ字溝）と結合できるようになっている。その代わりに、突起１２１を清掃具２００に配置して溝２２１を取り付け面１２０に配置することもできる。他の適当な接続部１２１の例として面ファスナー、かすがい、スナップ等があるが、これらに限定しない。
【００２５】
清掃パッド１００にはさらに覆いまたはさや１３０を設けて、接触面１１０の特に接触面１１０の突条部１１１と溝１１２を保護することもできる。この覆いを設けることにより、パッドを輸送する際に突条部１１１と溝１１２が実質的に真っすぐに保たれる。突条部１１１と溝１１２が曲がるなどの損傷を受けた場合、これらはステップ４０１の溝４０３やリブ４０２と十分に噛み合わないであろうし、このことがステップ清掃の効率を下げたり、パッドを使用不可にしたりしてしまう可能性がある。覆い１３０は接触面１１０の突条部１１１と溝１１２と噛み合い、実質的に全体を包み込める大きさとすることが望ましい。覆いの突条部１３１は清掃パッド１００の溝に対応した大きさとすることが望ましい。同様に、覆いの溝１３２は清掃パッド１００の突条部に対応する大きさとすることが望ましい。
【００２６】
清掃パッド１００は例えば型抜き、鋸切断、輪郭切断、水噴射切断、ピンコンボリュート、成型、押し出し加工等の工程を経て製造することができる。なお図１１に示したように、清掃パッド１００は半硬質材１１４に吸収材１１３を重ねたものからなるブロックまたは薄板７００を型抜きすることにより製造するのが望ましい。上述したように、半硬質材１１４は吸収材１１３と実質平行に重ねられている。型抜きの工程の間、覆い１３０を形成するために余分な材料１１３と１１４を清掃パッド１００につけたままにしておくことができる。余分な材料１１３と１１４を清掃パッド１００につけておくことにより、型抜き工程で生じやすい陥没部分を減らすとともに、突条部１１１と溝１１２を実質的に真っすぐに保つのに役立たせることができる。
【００２７】
図２に本発明によるエスカレーターまたは動く歩道を清掃するための清掃具２００を示す。清掃具２００は頭部２２０を備え、この頭部はハンドル２１０に取り付けられるようになっている。頭部２２０はハンドル２１０に対し、図３に示したピボット接続、ねじ接続等のどの従来方式によっても取り付けることができる。頭部２２０は清掃パッド１００に対して清掃具２００を着脱可能に接続できるようになっている。上述した対応する接続部１２１と溝２２１などの様々な方法で頭部２２０を取り付け面１２０に取り付けることができる。
【００２８】
一実施例として、頭部２２０の幅は清掃パッド１００の幅Ｗpadよりもわずかに狭いものとすることができるが、こうすることによりエスカレーターまたは動く歩道４００の側面に接触する可能性のある清掃パッド１００のどの部分も柔らかくしなやかになり、エスカレーターまたは動く歩道４００の側面間に容易に収められるようになる。この頭部２２０にガイド２２２を設けることができ、このガイドは図３と図９に示すようにエスカレーターまたは動く歩道４００の側面に沿って延びているスカートブラシまたはデフレクターブラシ４０５の下に収まるようになっている。このガイド２２２はエスカレーターまたは動く歩道４００上での清掃パッド１００の位置を維持するのに役に立ち、これにより清掃パッド１００がステップ４０１の全ての踏面４０６に実質的に接触できるようにしている。図示したように清掃パッド１００の幅Ｗpadはステップ４０１の動く方向に対して実質的に垂直に延びている。図９に示したように清掃作業の間、エスカレーターまたは動く歩道のステップ４０１が清掃パッド１００に向かって移動すると、このステップは清掃パッド１００に水平方向の力を及ぼし、清掃パッド１００が清掃具２００から外れてしまう可能性がある。こうして外れてしまうのを避けるため、図２と図４Ｂに示したように、頭部２２０にはさらに停止部分２３０を設けることができる。
【００２９】
作業にあたっては、１つ以上の接続部１２１を利用して清掃パッド１００を清掃具２００に取り付ける。図２に示したように一実施例として、取り付け面１２０に配置されたＴ字型接続部１２１を、清掃具２００の頭部２２０に配置された対応するＴ字型溝２２１にスライドさせることにより、清掃パッド１００を清掃具２００に取り付けることができる。覆い１３０を清掃パッド１００から取り外し、接触面１１０の突条部１１１と溝１１２をむき出しにする（図３）。その後この清掃パッド１００を、好ましくは実質的に清掃パッド１００全体を、所定量の洗浄液３０１の入った桶３００の中に置く（図５）。この桶３００に必要量の洗浄液３０１を正確に注ぎ込めるように満量線３０２を設けることができる。また掛金、ピンなどの取り外し可能なコネクタを１つ以上利用して、桶３００を頭部２２０に対して着脱可能に接続できるようにすることもできる。
【００３０】
次に清掃パッドの吸収性を促進するように、清掃パッド１００を取り付けた清掃具２００を、桶３００の中に沈めて１回以上押し付け、洗浄液３０１を接触面１１０に染み込ませる（図６）。その後この接触面１１０をエスカレーターまたは動く歩道４００のコームに向かって移動してくるステップのうち、届く範囲にあるステップ（通常はコーム４０４のすぐ前にある最初の２段か３段のステップ）のいずれかの上に置く。この作業は望ましくはエスカレーターまたは動く歩道４００の運転中に行う（図７から図９）。
【００３１】
清掃作業中、ステップ４０１が清掃具２００に向かって移動していることが望ましい（図７から図９）。半硬質材１１４がエスカレーターまたは動く歩道４００のコーム４０４に隣接し、清掃パッド１００の突条部１１１と溝１１２がステップ４０１の溝４０３と突条部４０２に対応して噛み合うように、清掃パッド１００を設置する。清掃パッド１００をそのように配置・設置して、エスカレーターまたは動く歩道４００は所定の時間だけ作動させる。エスカレーターまたは動く歩道４００が作動すると、清掃パッド１００の半硬質材１１４、その中でも特に半硬質材１１４の突条部１１１と溝１１２は水切りワイパーの役目を果たして余分な洗浄液を排除するが、ステップ４０１のリブ４０２の頂面４０９と側面４１０、ステップ４０１の溝４０３の底４０７と側面４０８から汚れを取ったり頑固に付着したゴミを剥がしたりするための剛性も提供する。同様に、清掃パッド１００の吸収材１１３、その中でも特に吸収材１１３の突条部１１１と溝１１２もステップ４０１のリブ４０２の頂面４０９と側面４１０、ステップ４０１の溝４０３の底４０７と側面４０８から汚れを取ってほこりやゴミを取り除く。所定時間後、ステップ４０１をさらに清掃する必要があれば、この処置を繰り返すことができる。使用後、清掃パッド１００を取り外して処分するには、清掃パッド１００をＴ字型突起１２１とＴ字型溝２２１を用いて清掃具２００からスライドさせて外し、ゴミ入れ６００に廃棄することができる（図１０）。
【００３２】
後の表は添付の図面に用いた参照番号や参照符号の説明を一覧表にしたものである。
【００３３】
本明細書に含まれる特許、文書、その他の書面などのいかなる参照も、先行技術であるか否かについてのそれらの状態に関する承認として解釈してはならない。当業者にとっては明らかであるが、本発明と本発明の利益について詳細に記載されてはいるものの、本明細書に開示された数々の特徴および実施例は、直接開示していない他の様々な組み合わせ方で組み合わせたり再構築したりすることができる。ここに開示した本発明は、ここに具体的に開示していないいかなる要素が欠落している場合であっても実施することができる。なお後の請求の範囲により定義される本開示の範囲および趣旨から逸脱することなく様々な変更、置換、代替が可能であることは当然理解されたい。さらに当然ではあるが、本発明については上述した説明に代わる他の実施例も存在し、これらは後の請求の範囲により定義される本発明の範囲内に含まれるものとする。
【符号の説明】
【００３４】
図面中の番号や符号のための参照表
番号・符号    説明
１００  清掃パッド
１１０  清掃パッド１００の接触面
１１１  接触面１１０の突条部
１１２  接触面１１０の溝
１１３  清掃パッド１００の吸収材
１１４  清掃パッド１００の半硬質材
１１５  接触面１００の突条部１１１の頂面
１１６  接触面１００の突条部１１１の側面
１１７  接触面１００の溝１１２の底
１１８  接触面１００の溝１１２の側面
１２０  清掃パッド１００の取り付け面
１２１  清掃パッド１００を清掃具２００に取り付けるための接続部
１３０  接触面１００を保護するための清掃パッド１００の覆いまたはさや
１３１  覆い１３０の突条部
１３２  覆い１３０の溝
２００  清掃具
２１０  清掃具２００のハンドル
２２０  清掃具２００の頭部
２２１  清掃具２００の溝
２２２  頭部２２０のガイド
２３０  頭部２２０の停止部分
３００  洗浄液３０１のための桶
３０１  洗浄液
４００  エスカレーターまたは動く歩道
４０１  エスカレーターまたは動く歩道４００のステップ
４０２  ステップ４０１のリブ
４０３  ステップ４０１の溝
４０４  エスカレーターまたは動く歩道４００のコーム
４０５  エスカレーター４００のスカートまたはデフレクターブラシ
４０６  エスカレーターまたは動く歩道４００のステップ４０１の踏面
４０７  ステップ４０１の踏面４０６の溝４０３の底
４０８  ステップ４０１の踏面４０６の溝４０３の側面
４０９  ステップ４０１の踏面４０６のリブ４０２の頂面
４１０  ステップ４０１の踏面４０６のリブ４０２の側面
６００  ゴミ入れ
７００  清掃パッド１００と覆い３００の型抜き用の吸収材１１３のブロックまたは薄板
Ｗpad    清掃パッド１００の幅
Ｌpad    清掃パッド１００の長さ
Ｈpad    清掃パッド１００の高さ
Ｗgroove  接触面１１０の溝１１２の幅
Ｌgroove  接触面１１０の溝１１２の長さ
Ｗridge    接触面１１０の突条部１１１の幅
Ｌridge    接触面１１０の突条部１１１の長さ
Ｗchannel  エスカレーターまたは歩道のステップ４０１の溝４０３の幅
Ｌchannel  エスカレーターまたは歩道のステップ４０１の溝４０３の長さ
Ｗrib      エスカレーターまたは歩道のステップ４０１のリブ４０２の長さ
Ｌrib      エスカレーターまたは歩道のステップ４０１のリブ４０２の長さ
【図１】
0006389906.tif 000002
【図２】
0006389906.tif 000003
【図３】
0006389906.tif 000004
【図４Ａ】
0006389906.tif 000005
【図４Ｂ】
0006389906.tif 000006
【図４Ｃ】
0006389906.tif 000007
【図４Ｄ】
0006389906.tif 000008
【図５】
0006389906.tif 000009
【図６】
0006389906.tif 000010
【図７】
0006389906.tif 000011
【図８】
0006389906.tif 000012
【図９】
0006389906.tif 000013
【図１０】
0006389906.tif 000014
【図１１】
0006389906.tif 000015